(57)【特許請求の範囲】
【請求項１】
カウンタウエイトの外殻を形成する板状の外殻体に開口を開設し、該開口をカバーで開閉自在に覆蓋するにあたり、該カバーを、外殻体に開口を開設するときに切り出される開口相当部分を用いて該開口と略同じ大きさに形成したことを特徴とする作業機械におけるカウンタウエイト。
【請求項２】
カバーは、開口の内周側に着脱自在に組付けられることを特徴とする請求項１に記載の作業機械におけるカウンタウエイト。
【請求項３】
開口縁部およびカバーの外縁部の少なくとも一方に、リブを設けたことを特徴とする請求項２に記載の作業機械におけるカウンタウエイト。
【請求項４】
開口縁部およびカバーの外縁部にリブを設けると共に、これらリブ同士を着脱自在に締結せしめたことを特徴とする請求項２または３の何れか一項に記載の作業機械におけるカウンタウエイト。
【請求項５】
開口の下縁部に、該開口に組付けられた状態のカバーを仮支持する仮支持部を設けたことを特徴とする請求項２乃至４の何れか一項に記載の作業機械におけるカウンタウエイト。
【請求項６】
開口の縁部に、カバーの位置決めを行う位置決め部材を設けたことを特徴とする請求項２乃至５の何れか一項に記載の作業機械におけるカウンタウエイト。
【請求項７】
開口は、外殻体の上面部から後面部に亘るように開設されると共に、上面部に形成される開口部分は、後方側ほど拡開していることを特徴とする請求項２乃至６の何れか一項に記載の作業機械におけるカウンタウエイト。
【請求項８】
カバーを、複数の分割カバーに分割したことを特徴とする請求項２乃至７の何れか一項に記載の作業機械におけるカウンタウエイト。
【発明の詳細な説明】
【技術分野】
【０００１】
本発明は、油圧ショベル等の作業機械に設けられるカウンタウエイトの技術分野に属するものである。
【背景技術】
【０００２】
一般に、油圧ショベル等の作業機械のなかには、機体前部に掘削、積込み等の各種作業を行うフロント作業部を装着する一方、該フロント作業部自体の重量やフロント作業部の行う作業荷重とのバランスをとるべく、機体後部にカウンタウエイトを設けたものがある。このようなカウンタウエイトは、一般的に、鋼板製の中空状の外殻体の内部に、鉄材やコンクリート等からなる重量物を充填して形成される。
ところで、近年、油圧ショベルのような作業機械においても、環境問題の観点から、作業部の有する位置エネルギーをアキュムレータに蓄圧して再利用できるようにしたもの、あるいは動力源としてバッテリからの電力供給で駆動する電気モータを設けたもの、あるいはディーゼルエンジンに代えてガスエンジンを動力源とするもの等、省エネルギーや排ガス低減を目的とする様々な機種が開発されている。しかるに、このような機種の作業機械は、アキュムレータや大型のバッテリ、あるいはガスボンベ等の大型の装置を必要とするため、これら装置を収納するためのスペースを必要となる。さらに、これら装置はメンテナンスを要するため、オペレータがアクセスしやすいように収納する必要がある。
そこで、従来、バッテリを、カウンタウエイトの内部スペースに収納すると共に、該バッテリを被覆するカバーを開放することで、バッテリのメンテナンスを行えるようにした技術が提唱されている（例えば、特許文献１参照。）。
一方、前述したような機種ではなく従来機種の油圧ショベルにおいて、カウンタウエイトに点検用穴を設けると共に、該点検用穴をカバーで覆うようにした技術も提唱されている（例えば、特許文献２参照。）。
【特許文献１】特開２００３−３２８３９２号公報
【特許文献２】実用新案登録第２５７１９８９号公報
【発明の開示】
【発明が解決しようとする課題】
【０００３】
ところで、カウンタウエイトは大きな部材であって、その形状は作業機械全体の外観に大きく影響を与えることになる。このため、前記特許文献１、２のようなカバーを設けた場合、該カバーがカウンタウエイトの他の部分と統一のとれた形状でないと、外観を損なう惧れがある。また、アキュムレータや大型バッテリ等の大きな装置をカウンタウエイト内部に収納する場合には、メンテナンス性を考慮してカバーを開けたときの開口を大きく採る必要があり、このためカバーも大型とならざるを得ないが、該大型のカバーを、開閉揺動自在に軸支するように構成した場合には、頑強な軸支部やヒンジ、ラッチ等の部材が必要となってコスト高となり、また、着脱するように構成した場合には、大型のカバーを一人で脱着できずに複数の人員の労力を要するという問題があって、ここに本発明が解決しようとする課題がある。
【課題を解決するための手段】
【０００４】
本発明は、上記の如き実情に鑑みこれらの課題を解決することを目的として創作されたものであって、請求項１の発明は、カウンタウエイトの外殻を形成する板状の外殻体に開口を開設し、該開口をカバーで開閉自在に覆蓋するにあたり、該カバーを、外殻体に開口を開設するときに切り出される開口相当部分を用いて該開口と略同じ大きさに形成したことを特徴とする作業機械におけるカウンタウエイトである。
そして、この様にすることにより、たとえ複雑な外観形状の外殻体であっても、該外殻体と統一のとれたデザインのカバーにすることができて、カウンタウエイトの外観向上に大きく貢献できる。しかも、様々な大きさや形状の開口に対応するカバーを、安価且つ簡単に形成することができる。
請求項２の発明は、カバーは、開口の内周側に着脱自在に組付けられることを特徴とする請求項１に記載の作業機械におけるカウンタウエイトである。
そして、この様にすることにより、カバーを開閉揺動自在に軸支する場合のように、軸支部やヒンジ、ラッチ等の部材を必要とせず、コストの低減に寄与できる。
請求項３の発明は、開口縁部およびカバーの外縁部の少なくとも一方に、リブを設けたことを特徴とする請求項２に記載の作業機械におけるカウンタウエイトである。
そして、この様にすることにより、開口縁部およびカバーの補強が図れると共に、開口開設時の切断によって生じる隙間を埋めることができる。
請求項４の発明は、開口縁部およびカバーの外縁部にリブを設けると共に、これらリブ同士を着脱自在に締結せしめたことを特徴とする請求項２または３の何れか一項に記載の作業機械におけるカウンタウエイトである。
そして、この様にすることにより、カバーを外殻体に簡単に固定することができると共に、リブ同士を締結する構造は極めてシンプルであって、製作が容易でありコストも低減できる。
請求項５の発明は、開口の下縁部に、該開口に組付けられた状態のカバーを仮支持する仮支持部を設けたことを特徴とする請求項２乃至４の何れか一項に記載の作業機械におけるカウンタウエイトである。
そして、この様にすることにより、カバーを外殻体に固定、あるいは固定解除する場合に、カバーを仮支持部に支持せしめた状態で行うことができることになって、カバーの着脱に要する労力を大幅に軽減することができる。
請求項６の発明は、開口の縁部に、カバーの位置決めを行う位置決め部材を設けたことを特徴とする請求項２乃至５の何れか一項に記載の作業機械におけるカウンタウエイトである。
そして、この様にすることにより、カバーを開口に組付けるときの位置決めを簡単に行うことができる。
請求項７の発明は、開口は、外殻体の上面部から後面部に亘るように開設されると共に、上面部に形成される開口部分は、後方側ほど拡開していることを特徴とする請求項２乃至６の何れか一項に記載の作業機械におけるカウンタウエイトである。
そして、この様にすることにより、カバーを開口に組付ける場合に、容易且つぴったりと組付けることができる。
請求項８の発明は、カバーを、複数の分割カバーに分割したことを特徴とする請求項２乃至７の何れか一項に記載の作業機械におけるカウンタウエイトである。
そして、この様にすることにより、カバーの着脱作業の労力を軽減することができる。
【発明を実施するための最良の形態】
【０００５】
次に、本発明の実施の形態について、図面に基づいて説明する。図面において、１は作業機械の一例である油圧ショベルであって、該油圧ショベル１は、クローラ式の下部走行体２、該下部走行体２の上方に旋回自在に支持される上部旋回体３、該上部旋回体３の前部に装着されるフロント作業部４等から構成されると共に、上部旋回体３の後部には、フロント作業部４自体の重量やフロント作業部４の行う作業荷重とのバランスをとるべくカウンタウエイト５が装着されている。
【０００６】
前記カウンタウエイト５は、該カウンタウエイト５の外殻を形成する中空状の外殻体６と、該外殻体６の中空状内部に固着される鉄材やコンクリート等からなる重量物７とを用いて形成されるが、該重量物７は、外殻体６内部の左右両側部および下部に配置されていて、外殻体６内部の左右方向中央部には空きスペースが形成されている。そして、該空きスペースが、前記左右両側部に配置された重量物７の左右内側面を左右の側面とし、下部に配置された重量物７の上面を底面とする収納スペースＳになっており、そして該収納スペースＳに、図示しないアキュムレータや大型バッテリ、あるいはガスボンベの種々の機器装置類を収納できるようになっている。
【０００７】
前記外殻体６は、上面部６ａと、左右側面部６ｂ、６ｃと、後側面部６ｄとを備えていると共に、上面部６ａから後側面部６ｄに亘るようにして前側開口８Ａと後側開口８Ｂ（該後側開口８Ｂが、本発明の開口に相当する）とが連続する状態で開設されている。前側開口８Ａは、上面部６ａの前部から中央部にかけて形成されており、また、後側開口８Ｂは、前側開口８Ａに連続する状態で上面部６ａの後部から後面部６ｄに亘るように形成されているが、これら前側開口８Ａおよび後側開口８Ｂの左右両端縁は収納スペースＳの左右側面（左右両側部に配された重量物７の左右内側面）の上方に位置し、また、後側開口８Ｂの下端縁は、収納スペースＳの底面（下部に配置された重量物７の上面）と面一状となるように設計されている。そして、前側開口８Ａは、着脱自在な上面プレート９によって開閉自在に覆蓋される一方、後側開口８Ｂは、後述する着脱自在なカバー１０によって開閉自在に覆蓋されており、該カバー１０を取外して後側開口８Ｂを開くことによって、収納スペースＳの上方後部および後方の略全域が開放されて、収納スペースＳに収納されたアキュムレータ等の機器装置類のメンテナンス等を行うことができるようになっている。
【０００８】
尚、カバー１０だけでなく上面プレート９も取外すことで、後側開口８Ｂと共に前側開口８Ａも開き、これにより、収納スペースＳの上方および後方の略全域が開放されることになるが、該上面プレート９の取外しは、例えば機器装置類を収納スペースＳに組込んだり取外したりするような場合、あるいは機器装置類に対する配線を行う場合等、必要に応じて行うようになっており、日常的、定期的な機器装置類のメンテナンスは、後側開口８Ｂを開くことで行えるようになっている。
また、外殻体６は前面部を備えていないが、カウンタウエイト５の前方に形成されるエンジンルーム１１とカウンタウエイト５とのあいだは、隔壁１２によって区隔されるようになっている。
【０００９】
扨、前記カバー１０は、後側開口８Ｂの内周側に着脱自在に組付けられることによって後側開口８Ｂを開閉すると共に、該後側開口８Ｂを閉じたカバー１０は、外殻体６と一体となってカウンタウエイト５の外殻を形成する構成となっているが、該カバー１０は、外殻体６に後側開口８Ｂを開設するときに切り出される開口相当部分によって形成される。
【００１０】
つまり、外殻体６は、図２〜図４に示されるように、鋼板を型成形することによって板状に形成されるが、該型成形の段階では、前側開口８Ａは形成されているが後側開口８Ｂは形成されておらず、後側開口８Ｂは、型成形の後にレーザーや切断トーチ等を用いて切断することによって開設される。そして、図２、図３に示されるように、該後側開口８Ｂを開設するときに切り出された後側開口相当部分を用いて該開口と略同じ大きさのカバー１０が形成されており、而して、カバー１０は、外殻体６と同等の強度を有することは勿論、外殻体６と統一のとれたデザインにすることができる。
【００１１】
さらに、前記カバー１０は、左側、中央、右側の三つの分割カバー１０Ｘ、１０Ｙ、１０Ｚに分割されている。カバー１０をこれら分割カバー１０Ｘ、１０Ｙ、１０Ｚに分割するための切断は、後側開口８Ｂを開設するときの切断と同時に行うことができるが、各分割カバー１０Ｘ、１０Ｙ、１０Ｚの重量は、作業員が一人で運んだり着脱したりすることのできる重さ（例えば２５ｋｇ以下）に設定されており、而して、作業員が一人であってもカバー１０の着脱作業を行うことができるようになっている。
【００１２】
また、前記後側開口８Ｂの左右側縁部および各分割カバー１０Ｘ、１０Ｙ、１０Ｚの左右外縁部には、それぞれ外殻体６の外表面および分割カバー１０Ｘ、１０Ｙ、１０Ｚの外表面よりも外方に突出する鍔状のリブ８ａ、１０ａが、溶接等により一体的に固着されている。そして、これらリブ８ａ、１０ａによって、後側開口８Ｂの左右側縁部および分割カバー１０Ｘ、１０Ｙ、１０Ｚの補強が図れると共に、前述した後側開口８Ｂの開設時および分割カバー１０Ｘ、１０Ｙ、１０Ｚの分割時における切断によって生じる隙間を埋めることができるようになっている。さらに、分割カバー１０Ｘ、１０Ｙ、１０Ｚを後側開口８Ｂの内周側に組付けた状態で、前記外殻体６および分割カバー１０Ｘ、１０Ｙ、１０Ｚの外表面から突出するリブ８ａと１０ａ、または１０ａと１０ａ同士をボルト１３を用いて締結することによって、左側分割カバー１０Ｘおよび右側連結カバー１０Ｚを外殻体６に固定できると共に、分割カバー１０Ｘ、１０Ｙ、１０Ｚ同士を一体的に連結できるようになっている。
【００１３】
一方、後側開口８Ｂの下端縁部には、分割カバー１０Ｘ、１０Ｙ、１０Ｚの着脱時に、後側開口８Ｂの内周側に組付けられた分割カバー１０Ｘ、１０Ｙ、１０Ｚの下部を載置できるよう、分割カバー１０Ｘ、１０Ｙ、１０Ｚの板厚よりも幅広の仮支持部８ｂが形成されている。さらに、該仮支持部８ｂの前端部位には、各分割カバー１０Ｘ、１０Ｙ、１０Ｚに対応して三箇所にロケータ１５（本発明の位置決め部材に相当する）が設置されており、該ロケータ１５によって、後側開口８Ｂの内周側に組付けられる各分割カバー１０Ｘ、１０Ｙ、１０Ｚの位置決めを行えるように構成されている。而して、分割カバー１０Ｘ、１０Ｙ、１０Ｚを着脱する場合には、後側開口８Ｂに組付けられた分割カバー１０Ｘ、１０Ｙ、１０Ｚを仮支持部８ｂに載せた仮支持状態として、前記ボルト１３による締結および締結解除を行うことができ、これによって、分割カバー１０Ｘ、１０Ｙ、１０Ｚの着脱に要する労力を、大幅に軽減できるようになっている。
【００１４】
さらに、前述したように、後側開口８Ｂは、外殻体６の上面部６ａの後部から後面部６ｄに亘るように形成されるが、上面部６ａの後部に形成される後側開口８Ｂ上面側部分の左右側縁部は、後方側ほど拡開した傾斜状部８ｃとなっていて、平面視において略ハの字形状をしている。一方、分割カバー１０Ｘ、１０Ｙ、１０Ｚも、上記後側開口８Ｂ上面側部分に組込まれる部位の左右外方側縁部が、後方側ほど拡開した傾斜状部１０ｂとなっていて、平面視において略ハの字形状をしている。これにより、後側開口８Ｂの内周側に分割カバー１０Ｘ、１０Ｙ、１０Ｚを組込むときに、前記傾斜状部８ｃ、１０ｂによってガイドされる状態で組込まれることになり、容易且つぴったりと組込むことができるようになっている。
【００１５】
一方、前記上面プレート９は、外殻体６の上面部６ａおよび分割カバー１０Ｘ、１０Ｙ、１０Ｚの前端部にボルト１４を介して着脱自在に締結されており、該上面プレート９を着脱することによって前側開口８Ａを開閉することができるが、前述したように、日常的、定期的なメンテナンスは後側開口８Ｂを開ければ行えるようになっている。このため、日常的、定期的なメンテナンスを行う場合には後側開口８Ｂのみを開ければ良いが、この様な場合には、まず、上面プレート９と分割カバー１０Ｘ、１０Ｙ、１０Ｚとを締結するボルト１４を緩めてから、分割カバー１０Ｘ、１０Ｙ、１０Ｚを取外して後側開口８Ｂを開ける一方、後側開口８Ｂを閉じる場合には、分割カバー１０Ｘ、１０Ｙ、１０Ｚを取付けた後に、該分割カバー１０Ｘ、１０Ｙ、１０Ｚと上面プレート９とをボルト１４で締結することにより、上面プレート９を外殻体６の上面部６ａに取付けたままの状態、つまり前側開口８Ａを閉じたままの状態で、後側開口８Ｂの開閉を行うことができるようになっている。尚、図５〜図７中、１０ｃは分割カバー１０Ｘ、１０Ｙ、１０Ｚに穿設されるボルト１４用の孔である。
【００１６】
叙述の如く構成された本形態において、カウンタウエイト５の外殻を形成する外殻体６は、該外殻体６の上面部６ａ後部から後面部６ｄに亘って後側開口８Ｂが開設されると共に、該後側開口８Ｂはカバー１０によって開閉自在に覆蓋されており、そして、カバー１０を取外して後側開口８Ｂを開けることによって、カウンタウエイト５内部の収納スペースＳに収納された機器装置類のメンテナンスを行えることになるが、上記カバー１０は、外殻体６に後側開口８Ｂを開設するときに切り出される後側開口相当部分を用いて形成されることになる。この結果、カバー１０は、外殻体６と同等の強度を有することは勿論、たとえ複雑な外観形状の外殻体６であっても、該外殻体６と統一のとれたデザインとすることができて、カウンタウエイト５の外観向上に貢献できる。しかも、例えば、収納スペースＳに収納される機器装置類によって異なる大きさや形状の開口を開設する場合にも、該開口に対応するカバー１０を安価且つ簡単に形成することができる。
【００１７】
また、前記カバー１０は、後側開口８Ｂの内周側に着脱自在に取付けられる構成となっているため、カバーを開閉揺動自在に軸支する場合のように、軸支部やヒンジ、ラッチ等の部材を必要とせず、コストの低減に寄与できるが、この場合に、カバー１０は、作業員が一人で運んだり着脱したりすることのできるよう、複数（本実施の形態では三つ）の分割カバー１０Ｘ、１０Ｙ、１０Ｚに分割されているから、作業員が一人であっても、カバー１０の着脱作業を容易に行うことができる。
【００１８】
さらに、後側開口８Ｂの左右側縁部および分割カバー１０Ｘ、１０Ｙ、１０Ｚの左右外縁部には、それぞれリブ８ａ、１０ａが設けられていて、該リブ８ａ、１０ａによって補強が図れると共に、後側開口８Ｂの開設時および分割カバー１０Ｘ、１０Ｙ、１０Ｚの分割時における切断によって生じる隙間を埋めることができる。しかも、前記リブ８ａと１０ａ、または１０ａと１０ａ同士をボルト１３で着脱自在に締結することで、分割カバー１０Ｘ、１０Ｙ、１０Ｚの外殻体６への固定も容易に行うことができる。さらに、前記リブ８ａ、１０ａ同士をボルト１３で締結する構造は極めてシンプルであって、製作が容易であると共にコストも低減できるという利点がある。
【００１９】
また、後側開口８Ｂの下縁部には、該後側開口８Ｂに組付けられた分割カバー１０Ｘ、１０Ｙ、１０Ｚを載置して仮支持する仮支持部８ｂが設けられていると共に、各分割カバー１０Ｘ、１０Ｙ、１０Ｚの位置決めを行うロケータ１５が設けられている。而して、各分割カバー１０Ｘ、１０Ｙ、１０Ｚを後側開口８Ｂに組付けるときの位置決めを簡単に行うことができると共に、分割カバー１０Ｘ、１０Ｙ、１０Ｚを着脱する場合に、後側開口８Ｂに組付けた分割カバー１０Ｘ、１０Ｙ、１０Ｚを仮支持部８ｂに載せた仮支持状態として、前記ボルト１３による締結および締結解除を行うことができることになって、カバー１０の着脱に要する労力を、大幅に軽減することができる。
【００２０】
さらに、後側開口８Ｂは、外殻体６の上面部６ａの後部から後面部６ｄに亘るように形成されるが、上面部６ａに形成される部分は、後方側ほど拡開しており、而して、分割カバー１０Ｘ、１０Ｙ、１０Ｚを後側開口８Ｂに組付ける場合に、容易且つぴったりと組付けることができる。
【００２１】
尚、本発明は上記実施の形態に限定されないことは勿論であって、開口の形状、開口が開設される部位、開口の大きさ等は、カウンタウエイトの大きさや形状、あるいは収納スペースに収納される機器装置類の種類や大きさ、形状等に対応させて、適宜設計変更することができる。
【図面の簡単な説明】
【００２２】
【図１】油圧ショベルの側面図である。
【図２】（Ａ）、（Ｂ）はカウンタウエイトの後方斜視図、前方斜視図である。
【図３】（Ａ）、（Ｂ）、（Ｃ）はカウンタウエイトの平面図、正面図、右側面図である。
【図４】（Ａ）、（Ｂ）、（Ｃ）はカバーを取外したカウンタウエイトの平面図、正面図、右側面図である。
【図５】（Ａ）、（Ｂ）、（Ｃ）は左側分割カバーの平面図、正面図、左側面図である。
【図６】（Ａ）、（Ｂ）、（Ｃ）は中央分割カバーの平面図、正面図、右側面図である。
【図７】（Ａ）、（Ｂ）、（Ｃ）は右側分割カバーの平面図、正面図、右側面図である。
【符号の説明】
【００２３】
５      カウンタウエイト
６      外殻体
６ａ    上面部
６ｂ    後面部
８Ｂ    後側開口
８ａ    リブ
８ｂ    仮支持部
８ｃ    傾斜状部
１０    カバー
１０ａ  リブ
１０ｂ  傾斜状部
１０Ｘ  右側分割カバー
１０Ｙ  中央分割カバー
１０Ｚ  左側分割カバー
１５    ロケータ
【図１】
0004730834.tif 000002
【図２】
0004730834.tif 000003
【図３】
0004730834.tif 000004
【図４】
0004730834.tif 000005
【図５】
0004730834.tif 000006
【図６】
0004730834.tif 000007
【図７】
0004730834.tif 000008